(57)【要約】【課題】小型化により遊技領域内におけるスペース効率の向上に寄与することができ、不測の入球を防止して遊技領域を流下する球の流入開口への入球率の調整を容易にして、入球率に対する設計意図を反映させ易い遊技機用の入球具及び遊技機を、部品点数やコストを低減しつつ提供すること。【解決手段】この第２始動入賞具１１は、遊技盤面６ａに画定された遊技領域を流下する球２３を流入させる第２始動口１６と、その近傍に配置された下ベロ部材１８とを有しており、第２始動口１６がベースプレート１７に形成され、ベースプレート１７が遊技盤６より前方に向けて突出するように配置され、かつ、第２始動口１６上方に、球２３を前方へと導く掬い面１７ｄが形成されている。【選択図】図３
2009189577.tif 000002
【特許請求の範囲】
【請求項１】
遊技盤の表面に画定された遊技領域を流下する球を流入させる流入開口と、
その流入開口の近傍に配置された可動部材と、を有し、該可動部材の動作に基づいて前記流入開口への入球率を変更可能とした遊技機用の入球具であって、
前記流入開口が該入球具を前記遊技盤に取り付けるためのプレート部材に形成され、
該プレート部材が前記遊技盤より前方に向けて突出するように配置され、かつ、
該プレート部材の前記流入開口上方に、前記球を前方へと導くための前方誘導部が形成されている遊技機用の入球具。
【請求項２】
前記可動部材が、
前記流入開口近傍で前後に揺動開閉すると共に、その開放状態において前記流入開口への前記球の流入を許容し、その閉鎖状態において該流入開口への前記球の流入を阻止する開閉扉である請求項１に記載の遊技機用の入球具。
【請求項３】
前記可動部材が、
前記流入開口を前後に進退移動すると共に、その進出状態において前記流入開口への前記球の流入を許容し、その退避状態において該流入開口への前記球の流入を阻止する進退部材である請求項１に記載の遊技機用の入球具。
【請求項４】
請求項１から請求項３のうちいずれか１項に記載の遊技機用の入球具と、
前記遊技領域をその表面に画定する遊技盤と、
該遊技盤を遊技者にとって視認可能となるように保持する枠体と、
前記遊技盤に対してその前方に一定距離以上離間して配置された前面透明板と、
前記遊技領域に向けて前記球を発射する発射ユニットと、
前記球を貯留する貯留皿と、を有する遊技機。
【発明の詳細な説明】
【技術分野】
【０００１】
本発明は、遊技機に係り、特に、部品点数を削減しつつ安定して入球口に球を導くことのできる遊技機用の入球具及び遊技機に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の遊技領域に配置される入賞口には、例えば普通入賞口、始動入賞口、大入賞口等の様々なものがある。そのうち、始動入賞口や大入賞口は、球の入賞が容易（又は、可能。）な状態と困難（又は、不可能。）な状態とに変更可能な開閉部材を有する変動入賞役物によって構成されることがある。
【０００４】
例えば、始動入賞口を構成する役物としてよく用いられる変動入賞役物（いわゆる、電動チューリップ。）は、入賞口上方の左右両側に揺動開閉可能な開閉羽根部材が配置され、その開閉羽根の開閉により入賞容易／入賞困難の状態を作り出している。また、大入賞口を構成する役物としてよく用いられる変動入賞役物（いわゆる、アタッカー。）は、入賞口の前方に前後開閉可能な開閉扉部材が配置され、その扉の開閉により入賞容易／入賞困難の状態を作り出している。
【０００５】
このように、常に球を入賞可能な状態とするのでなく、遊技の状況に応じて開閉羽根部材や開閉扉等の可動部材によって入賞の確率（又は可否）を変化させれば、パチンコ機における遊技の興趣を一層増大させることができるのである。なお、このように、球の入賞確率を変化させた変動入賞役物については、例えば特許文献１，２に開示されている。
【０００６】
近年では、遊技領域内に遊技演出のための図柄表示装置が配置される場合が多く、その図柄表示装置は年々大型化している。しかしながら、遊技領域の面積は容易に大型化することができないため、変動入賞役物等については必然的に小型化の必要性を生じる。
【０００７】
例えば、大入賞口においては、その入賞口と開閉扉の高さ寸法を低減して小型化を図っている。そして、入賞口の前方に入賞を補助するための補助プレートを配置して、球詰まり等のトラブルを防止している（例えば、特許文献３を参照。）。
【０００８】
【特許文献１】特開２００７−１４４２２２号公報
【特許文献２】特開２００７−２４４６１７号公報
【特許文献３】特開２００７−１４６４３号公報
【発明の開示】
【発明が解決しようとする課題】
【０００９】
しかしながら、開閉扉の高さ寸法を低減して小型化を図ることにより、新たに球詰まり等防止用の補助プレートが必要になってしまうと、部品点数やコストの上昇を招いてしまい、また、組立て作業も煩雑となる。また、可動部材自体のサイズやその動作態様を小型化して遊技領域内での占有面積を更に小さくしたいという要望もある。
【００１０】
更に、開閉羽根部材や開閉扉部材は、その閉鎖動作において球を入賞させる方向に羽根部材や扉部材が傾きながら閉じていくので、閉鎖途中に入賞しかかった球が、そのまま開閉羽根部材や開閉扉部材によって入賞口へと押し込まれてしまって入賞してしまうという問題がある。本来入賞すべきでない球が、開閉部材の閉鎖動作の途中で入賞してしまうと、入賞率が設計値から外れてしまってパチンコホールが不利益を受けてしまう場合がある。なお、上記したように、開閉部材の閉鎖途中に意図せず入球口に入球する場合や、側方等の意図しない流下方向からゲージ等によって弾かれて入球口に入球する場合において、このような意図しない入球又はそれにより入球した球を総称して「不測の入球」と呼ぶこととする。
【００１１】
本発明は、上記の事情に鑑みて為されたもので、小型化により遊技領域内におけるスペース効率の向上に寄与することができ、不測の入球を防止して遊技領域を流下する球の流入開口への入球率の調整を容易にして、入球率に対する設計意図を反映させ易い遊技機用の入球具及び遊技機を、部品点数やコストを低減しつつ提供することを例示的課題とする。
【課題を解決するための手段】
【００１２】
上記の課題を解決するために、本発明の例示的側面としての遊技機用の入球具は、遊技盤の表面に画定された遊技領域を流下する球を流入させる流入開口と、その流入開口の近傍に配置された可動部材と、を有し、可動部材の動作に基づいて流入開口への入球率を変更可能とした遊技機用の入球具であって、流入開口が入球具を遊技盤に取り付けるためのプレート部材に形成され、プレート部材が遊技盤より前方に向けて突出するように配置され、かつ、プレート部材の流入開口上方に、球を前方へと導くための前方誘導部が形成されていることを特徴とする。
【００１３】
流入開口が形成されたプレート部材が遊技盤より前方へ突出しているので、この入球具近傍における球の流下領域の前後方向寸法を狭めることができる。したがって、補助プレート等の別途の部材を流入開口の前方に配置する必要なく、球を流入開口の近傍で流下させることができる。入球具の小型化と球詰まり等の不具合の防止を両立させつつ、部品点数やコストの低減に寄与することができる。
【００１４】
その流入開口の上方には球を前方へと導くための前方誘導部が形成されているので、プレート部材の上方を流下してくる球が前方誘導部によってスムーズに前方へと誘導され、プレート部材によって狭められた流下領域を流下しつつ流入開口近傍へと至るようになっている。スムーズな球の流下に一層貢献し、球詰まり等の不具合の防止に寄与している。
【００１５】
なお、ここにおいて遊技機とは、遊技媒体として球を用いてその流下による遊技を実現するものをいい、パロット機等を含むが、典型的にはパチンコ機を意味する。そして、この入球具は、パチンコ機において、普通入賞具、始動入賞具、大入賞具等として利用される。また、前後方向は、この入球具が遊技機に設置された状態における前（遊技機から遊技者に向かう方向）方向及び後（遊技者から遊技機に向かう方向）方向を意味し、上下左右方向は、遊技機に対面する遊技者にとっての上下左右方向を意味する。また、遊技盤の表面は、前面（遊技者に対向する側の面）のみならず、後面（前面に対する裏面）をも概念として含む。
【００１６】
その入球具において、可動部材が流入開口近傍で前後に揺動開閉すると共に、その開放状態において流入開口への球の流入を許容し、その閉鎖状態において流入開口への球の流入を阻止する開閉扉であってもよい。
【００１７】
可動部材が前後に揺動開閉する開閉扉である、いわゆるアタッカーと呼ばれる入球具に上記発明を適用することにより、一時期に多量の球が入球するアタッカーにおける補助プレート等を廃して部品点数を削減し、小型化を図り、かつ球詰まり等の不具合を防止することができる。
【００１８】
入球具において、可動部材が流入開口を前後に進退移動すると共に、その進出状態において流入開口への球の流入を許容し、その退避状態において流入開口への球の流入を阻止する進退部材であってもよい。
【００１９】
可動部材が前後に進退移動する進退部材である入球具に上記発明を適用することにより、この入球具における補助プレート等を廃して部品点数を削減し、小型化を図り、かつ球詰まり等の不具合を防止することができる。この入球具においては、進退部材が流入開口を前後に進退することにより、球の流入開口への流入許可と流入阻止とを変更するので、より一層の小型化を実現することができ、遊技領域内のスペース効率の向上に寄与することができる。
【００２０】
また、退避移動の途中で受け面に受け止められた球を入球させずに遊技領域に残し、そのまま遊技領域を流下させることができる。したがって、進退部材の退避移動中における流入開口への不測の入球を有効に防止することができる。その結果、この遊技機における入球具の入球率の調整が容易となり、設計意図を充分に反映させた入球率設定を行うことができる。
【００２１】
本発明の他の例示的側面としての遊技機は、上記の遊技機用の入球具と、遊技領域をその表面に画定する遊技盤と、遊技盤を遊技者にとって視認可能となるように保持する枠体と、遊技盤に対してその前方に一定距離以上離間して配置された前面透明板と、遊技領域に向けて球を発射する発射ユニットと、球を貯留する貯留皿とを有することを特徴とする。
【００２２】
この遊技機は、上記の入球具を有しているので、入球具における部品点数の削減、入球具の小型化、入球具近傍における球詰まり等の不具合防止を図ることができる。したがって、遊技領域内のスペース効率の向上に寄与することができて、図柄表示装置等の遊技領域内に配置される他の装置の大型化や配置に自由度を高めることができる。
【００２３】
なお、上記の入球具における可動部材が進退部材である場合における遊技機が、遊技領域に設けられて球が入球可能な第１始動口を備えた第１始動入賞具と、第１始動口への入球に基き第１の遊技を実行する第１遊技手段と、流入開口への入球に基き第２の遊技を実行する第２遊技手段とを備え、第１始動入賞具と遊技機用の入球具とが遊技領域の正面視において左右方向同側に配置されていてもよい。
【００２４】
第１始動入賞具と上記の入球具とが遊技領域の正面視において左右方向同側に配置されているので、遊技者は、いわゆる右打ち・左打ちに打ち分ける必要なく、左右同側に球発射を続けることにより第１の遊技の発生も第２の遊技の発生も狙うことができる。この場合において、左右同側に第１始動入賞具と上記の入球具とが配置されているが、上記の入球具においては、進退部材の前後進退移動によって、不測の入球が防止されている。したがって、遊技者が第１の遊技の発生を狙っている最中に、意図せず第２の遊技が発生してしまうのを防止することができる。
【００２５】
ここにおいて、第１遊技手段とは、第１の遊技としての図柄変動大当たり（後述）を実行するための手段を意味し、より具体的に例示すれば、第１始動口への入球に起因して第１抽選を行う第１抽選手段、その抽選結果の呈示を実行する抽選結果呈示手段、抽選結果に応じて第１大入賞口の開閉制御を実行する動作制御手段等を含む概念である。第２遊技手段とは、第２の遊技としての役物大当たり（後述）を実行するための手段を意味し、より具体的に例示すれば、流入開口への入球に基づき第２大入賞口の開閉制御を実行する動作制御手段を含む概念である。
【００２６】
なお、第１の遊技（１種大当たり又は図柄変動大当たりともいう。）と第２の遊技（２種大当たり又は役物大当たりともいう。）とを実現可能な遊技機として、例えば、後述する１種２種タイプのパチンコ機が概念できる。このような、１種２種タイプのパチンコ機に本発明を適用することにより、例えば、右側領域及び右打ち遊技を廃することができる。遊技領域のうち左側領域のみを用いて、意図しない２種大当たりを防止しつつ１種２種遊技を実現することができる。
【００２７】
本発明の更なる目的又はその他の特徴は、以下添付図面を参照して説明される好ましい実施の形態によって明らかにされるであろう。
【発明の効果】
【００２８】
本発明によれば、遊技機用の入球具において、補助プレート等の別途の部材を用いることなく、その小型化、スムーズな球の流下と導入による球詰まり等の不具合の防止を実現している。したがって、部品点数やコストの低減を図りつつ、遊技領域内のスペース効率の向上に寄与している。
【発明を実施するための最良の形態】
【００２９】
［実施の形態１］
以下、本発明の実施の形態１について図面を用いて説明する。図１は、本発明の実施の形態１に係る遊技機としてのパチンコ機２の正面図である。このパチンコ機２は、枠体３、遊技盤ユニット５、前面ガラス（前面透明板）１０、装飾枠（前面枠）１２、発射ユニット（不図示）、貯留皿１４を有している。
【００３０】
なお、遊技機は、パチンコ機２の他にパロット機、アーケードマシン、各種ゲーム機、その他の球の流下による遊技を実現する遊技機を概念することができる。パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００３１】
パチンコ機２の枠体３は、後述する遊技盤ユニット５を内側に保持し、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３２】
枠体３は、例えば、最外郭に配置されてパチンコホールの遊技機設置島に取り付けられる筐体枠４、その筐体枠４に対して前後揺動可能に軸支され遊技盤ユニット５を保持する機枠９とを有して構成される。そして、その機枠９の前方には、前面ガラス１０とその周囲を装飾する装飾部材３２とを保持する装飾枠１２が配置される。なお、前面ガラス１０は、枠体３内部に保持された遊技盤６を前方から遊技者が視認することができるようにするための透明部材であるが、詳細は後述する。
【００３３】
遊技盤ユニット５は、遊技盤６とその遊技盤６の略中央に配置されたセンター役物７とを有して構成されている。その遊技盤６は、遊技盤面（表面）６ａに球（パチンコ球）２３の流下による遊技を実現するための遊技領域６ｂを画定するための盤状部材であり、本実施の形態１においては、前面側の遊技盤面６ａに遊技領域６ｂが構成される。そして遊技盤６は、遊技盤面６ａを前方から遊技者にとって視認可能となるように枠体３（本実施の形態１においては、枠体３の一部としての機枠９。）に保持されている。遊技盤面６ａには、略円形状に周囲を囲むようにレール飾り２６が取り付けられており、レール飾り２６の内周面（内側面）２６ａが遊技盤面６ａに対して立設するように配置されている。そして、その内側面２６ａによって画定され、内側面２６ａに面した略円形状の領域が遊技領域６ｂとなっている。
【００３４】
遊技領域６ｂには、ゲージ（障害釘）２７が配置されている。このゲージ２７は、遊技領域６ｂを流下する球２３と衝突してその流下方向を変更させるものであり、遊技領域６ｂ内に多数配置されている。また、遊技領域６ｂには、普通入賞口２８、第１始動口２９、第２始動口（図２参照）１６を備えた第２始動入賞具（遊技機用の入球具）１１、第１大入賞口を有する第１大入賞具３１、第２大入賞口８ａ、通過ゲート（通過領域）３３、風車３４等が配置されており、流下する球２３が各入賞口や始動口に流入したり、通過ゲート３３を通過したり、風車３４を回転させたりすることによって、球２３による流下遊技を楽しむことができるようになっている。
【００３５】
センター役物７は、遊技盤面６ａの略中央に配置されて図柄変動遊技や役物遊技を実現するものであり、主として第１の遊技における図柄表示を行う図柄表示装置７ａ及び主として役物遊技を実現するセンター飾り８を有している。
【００３６】
図柄表示装置７ａは、例えば、液晶表示装置・有機ＥＬディスプレイ・ＬＥＤ等により構成されて遊技者が遊技盤面６ａ側から視認可能となるように配置され、その表示画面（映像表示面）７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００３７】
図示しない球発射ユニットにより球２３が発射されると、球２３はレール飾り２６の内側面２６ａに沿いつつ進行して遊技領域６ｂ内の上部に至る。その後、球２３はゲージ２７に衝突しつつ遊技領域６ｂ内を下方に流下し、あるものは普通入賞口に入賞して一定数の景品球払出しの契機となり、あるものはいずれの入賞口にも流入せずに遊技領域６ｂ内最下部に位置するアウト口３０に流入してパチンコ機２の外部へと排出される。
【００３８】
図柄変動遊技中に球２３が第１始動口に流入すると、その流入に起因して第１の遊技発生のための第１抽選手段（第１遊技手段の一部）による第１抽選が開始される。それと共に、図柄表示装置７ａの表示図柄７ｃが回転表示を開始する。第１抽選の結果が当たりであれば、表示図柄７ｃが所定の図柄（例えば、「７・７・７」。）で停止表示し、図柄変動遊技における大当たり（第１の遊技。以下、図柄変動大当たりという。）が発生する。そして、第１大入賞口が開放して多量の入賞球を受け入れ、多量の景品球が貯留皿１４へと払い出されるようになっている。
【００３９】
センター飾り８は、図柄表示装置７ａの表示画面７ｂの周囲であって遊技盤面６ａ上に配置された樹脂製の造形体である。センター飾り８は、例えば表示画面７ｂの周囲を囲み、表示画面７ｂが遊技者に視認可能となるように配置されている。センター飾り８には、模様や色彩が付され、また、キャラクター等の造形が施されており、装飾的な演出効果を発揮するようになっている。
【００４０】
また、センター飾り８の一部には、球２３の流入可能な状態と流入不可能な状態とに状態変更可能（開閉可能）な第２大入賞口８ａが配置されている。この第２大入賞口８ａは役物遊技中において大当たり（第２の遊技。以下、役物大当たりという。）発生時に所定時間開放され、その開放時には球２３がセンター飾り８の内部へと流入可能とされている。一方、第２大入賞口８ａの閉鎖時にはセンター飾り８の内部への球２３の流入はできないようになっている。
【００４１】
センター飾り８の中央部に配置された図柄表示装置７ａは、奥行き方向において遊技盤面６ａよりもやや奥まって配置されている。その図柄表示装置７ａの前方部分には第２大入賞口８ａから流入した球２３を一定確率で入賞させることのできるＶ入賞口３５が配置されている。そのＶ入賞口３５に球２３が流入すると、第１大入賞口が開放して多量の入賞球を受け入れ、役物大当たり遊技を継続的に楽しむことができるようになっている。
【００４２】
センター飾り８は、この遊技盤面６ａの略中央やや右寄りに位置しており、遊技盤面６ａの正面視右側領域にはセンター飾り８の上部及び側部付近とレール飾り２６の内側面２６ａとによって球通路８ｂが形成されている。この球通路８ｂは球２３が１個宛通過することのできる通路寸法とされており、球通路８ｂを通過した球２３は、遊技領域６ｂの右下方近傍に至ってアウト口３０へと流入するようになっている。この球通路８ｂ部分以外の遊技領域６ｂは、遊技盤６の左側から下方部分にかけて構成されている。
【００４３】
発射ユニットによって発射された球２３は、左側の遊技領域６ｂを流下しつつ例えば通過ゲート３３を通過する。その通過ゲート３３の通過に起因して第２抽選手段による抽選が行われ、その抽選結果が当たりの場合に、第２始動入賞具１３が備える第２始動口１６が一定時間開放する。第２始動口１６は、閉鎖状態では球２３の流入が不可能とされているが、その開放中に球２３が第２始動口１６に流入すると、それに起因して役物大当たり遊技が発生し、第２大入賞口８ａが所定時間開放する。その開放時間中に、後続の球２３が第２大入賞口８ａ内に流入し、Ｖ入賞口３５に入賞すれば、第１大入賞口の開放により役物大当たり遊技の継続を楽しむことができるようになっている。
【００４４】
なお、ここにおいて、第２始動口１６の開放状態とは、後述する下ベロ部材（進退部材、可動部材）１８（図２参照）が進出した状態であって、第２始動口１６が球２３の流入を許容する状態をいう。また、第２始動口１６の閉鎖状態とは、下ベロ部材１８が退避した状態であって、第２始動口１６が球２３の流入を阻止する状態をいう。
【００４５】
以下、この第２始動口１６を備える第２始動入賞具１１の構成について詳細に説明する。
【００４６】
図２は、このパチンコ機２が有する第２始動入賞具１１の外観斜視図である。この第２始動入賞具１１は、ベースプレート（プレート部材）１７、下ベロ部材１８、上ベロ部材１９、ソレノイド（駆動手段）２０、収容部２１を有している。
【００４７】
ベースプレート１７は、この第２始動入賞具１１を遊技盤面６ａに取り付けるための略直方体形状の取付けプレートである。このベースプレート１７の後面１７ｂが遊技盤面６ａに取り付けるための取付け面となっており、前面１７ａには、下ベロ部材１８の進出状態において球２３を流入させるための第２始動口１６が開口形成されている。第２始動口１６は、図２に示すように大略四角形状とされており、その下端近傍を下ベロ部材１８が進退し、上端近傍を上ベロ部材１９が進退するようになっている。第２始動口１６の幅方向寸法Ｗは、球２３の直径寸法Ｄ（図３参照）よりも大きく設定されており、第２始動口１６への入球を阻害しないようになっている。
【００４８】
ベースプレート１７の上面１７ｃには、第２始動口１６の上方位置に、掬い面（前方誘導部）１７ｄが形成されている。この掬い面１７ｄは、上面１７ｃの遊技盤面６ａに近い側から第２始動口１６へと傾斜する傾斜面であって、遊技領域６ｂを上方から流下してくる球２３をスムーズに掬い上げて前方へと誘導し、進出状態における下ベロ部材１８へと至らせる機能を有する。一方、上面１７ｃにおける掬い面１７ｄの両側部１７ｅ，１７ｆは、左右方向外側に向かって下がり傾斜するように形成され、この両側部１７ｅ，１７ｆに向かって流下してきた球２３を、第２始動口１６へと至らせずに左右両側へ振り分けて流下させる機能を有する。
【００４９】
図３は、この第２始動入賞具１１と前面ガラス１０との前後方向における寸法関係の一例を説明するための模式的な説明図である。図３に示すように、このベースプレート１７の厚さＭは比較的厚く形成されており、そのため、第２始動口１６が遊技盤面６ａよりもその厚さＭの分だけ前方（すなわち、前面ガラス１０側。）に突出している。
【００５０】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５１】
この図３において、前面ガラス１０の後面１０ａからベースプレート１７の前面１７ａまでの距離（すなわち、第２始動口１６の開口縁までの距離。）をＬ、進出状態における下ベロ部材１８の第２始動口１６からの突出量をＡ、球２３の直径寸法をＤとした場合、前面ガラス１０の後面１０ａから遊技盤面６ａまでの距離Ｂ、前面ガラス１０の後面１０ａと進出状態における下ベロ部材１８との隙間Ｃについては、以下の式が成立する。
【００５２】
Ｂ＝Ｌ＋Ｍ
Ｃ＝Ｌ−Ａ
距離Ｂ＝１９ｍｍ、直径寸法Ｄ＝１１ｍｍである場合に、例えば、距離Ｌ＝１３ｍｍと設定すれば、ベースプレート１７の厚さＭ＝６ｍｍとなる。そして、隙間Ｃ＝３ｍｍと設定すれば、進出状態における下ベロ部材１８の突出量Ａ＝１０ｍｍとなる。この一例のように、各寸法設定を行えば、第２始動入賞具１１と前面ガラス１０との間に、補助プレート等の別途の部材をわざわざ配置する必要なく、掬い面１７ｄを流下した球２３をスムーズに進出状態の下ベロ部材１８へと導くことができる。進出状態の下ベロ部材１８と前面ガラス１０の後面１０ａとの隙間Ｃが球２３の直径寸法Ｄよりも充分小さく設定されているので、この隙間Ｃに球２３が挟み込まれてしまったり、この隙間Ｃから球２３が流下してしまったりしない。
【００５３】
また、この第２始動入賞具１１においては、ベースプレート１７が遊技盤面６ａから厚さＭで突出している。したがって、ベースプレート１７の側面１７ｇが遊技盤面６ａから厚さＭの高さで立設することとなり、側方からの球２３が第２始動口１６へと至らないようになっている。したがって、遊技領域６ｂ内のゲージ２７等によって弾かれ、側方から第２始動口１６へと向かう球２３の入球を確実に阻止することができ、そのような不測の入球も防止することができる（図１も参照。）。
【００５４】
なお、この第２始動入賞具１１には、補助プレート等の別途の部材を配置する必要がないので、部品点数やコストの低減に寄与することができる。更に、第２始動口１６の前方に補助プレート等が配置されないことから、遊技者が直接に、球２３が第２始動口１６に入球する様子や上下のベロ部材１８，１９の進退移動を視認することができる。
【００５５】
下ベロ部材１８は、第２始動口１６内を前後方向（±Ｚ方向）に進退移動する板状部材である。図４は、下ベロ部材１８及び上ベロ部材１９の進退移動の様子を説明するための側方模式図であり、（ａ）は下ベロ部材１８の進出状態を示し、（ｂ）は下ベロ部材１８の退避状態を示している。下ベロ部材１８は、前方（矢印Ｚ方向）への進出状態において球２３を受けるための受け面１８ａを有している。そして、受け面１８ａで受けた球２３を第２始動口１６へと流入させる機能を有している。
【００５６】
上ベロ部材１９も、下ベロ部材１８と同様に第２始動口１６内を前後方向（±Ｚ方向）に進退移動する板状部材である。図３に示すように、下ベロ部材１８と上ベロ部材１９とは、リンク機構２０ａにより連結され、逆位相で前後移動するように構成されている。すなわち、下ベロ部材１８の進出時には上ベロ部材１９が退避し、下ベロ部材１８の退避時には上ベロ部材１９が進出するようになっている。
【００５７】
下ベロ部材１８の進出時には、上ベロ部材１９は第２始動口１６よりも奥へと退避し、その結果、第２始動口１６の実質的な開口高さ寸法Ｌ１が球２３の直径寸法Ｄよりも大きくなるようになっている。したがって、下ベロ部材１８の進出状態においては、球２３が円滑に第２始動口１６から流入する。
【００５８】
一方、下ベロ部材１８の退避時には、上ベロ部材１９は第２始動口１６の開口縁近傍まで進出
するようになっている。その状態において、第２始動口１６の実質的な開口高さ寸法Ｌ２は、下ベロ部材１８及び上ベロ部材１９の合計厚さ分だけ減少している。この開口高さ寸法Ｌ２が球２３の直径寸法Ｄよりも小さく設定されているので、下ベロ部材１８の退避時には球２３の第２始動口１６への流入が確実に阻止されるようになっている。
【００５９】
このように、下ベロ部材１８及び上ベロ部材１９の前後方向（±Ｚ方向）における進退移動により第２始動口１６への入球の許容と阻止とが実現されている。また、受け面１８ａが上を向いたまま下ベロ部材１８が退避移動するので、退避移動に際して、受け面１８ａ上に載った球２３に退避方向（−Ｚ方向）の外力を殆ど生じない。したがって、図５に示すように、下ベロ部材１８の退避移動の途中に受け面１８ａによって球２３が受け止められた場合であっても、球２３が第２始動口１６へと押し込まれることなく、そのまま遊技領域６ｂへと残されて流下していくこととなる。したがって、下ベロ部材１８の退避途中における不測の入球を防止することができ、設計意図通りの入球率調整を容易とすることができる。
【００６０】
ソレノイド２０は、上下のベロ部材１８，１９を進退移動させるための駆動手段である。本実施の形態１においては、収容部２１に収容されて上下のベロ部材１８，１９の後方に配置され、リンク機構２０ａを介して上下のベロ部材１８，１９に連結されている。具体的には、ソレノイド２０のプランジャ２０ｂが上ベロ部材１９と連結されており、プランジャ２０ｂが後方へと移動して上ベロ部材１９を退避させると、リンク機構２０ａが回転軸２０ｃを中心に揺動して下ベロ部材１８を進出させるようになっている（図４（ａ）参照）。そして、プランジャ２０ｂが前方へと移動して上ベロ部材１９を進出させると、リンク機構２０ａが逆方向に揺動して下ベロ部材１８を退避させるようになっている（図４（ｂ）参照）。
【００６１】
収容部２１は、ベースプレート１７の後方に取り付けられた収容部材であり、ソレノイド２０、リンク機構２０ａ等の構成部品を内部に保持している。収容部２１内には、第２始動口１６から流入した球２３を検出する球通過センサも保持され、その球２３をパチンコ機２内の入賞球通路へと導く入賞経路が形成されている。
【００６２】
装飾枠１２は、主として遊技盤６の前方を囲む枠部材であり、機枠９の前方にヒンジ部２２によって前方開閉可能に揺動支持されている。装飾枠１２は、開口形成された開口部分に前面ガラス１０を保持し、その前面ガラス１０を通して遊技盤６を遊技者にとって視認可能としている。開口の周囲には、パチンコ機２を装飾し、遊技を演出するための装飾部材３２が配置されている。
【００６３】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００６４】
貯留皿１４は、遊技者の持ち球を貯留するためにパチンコ機２の前面に配置された皿部材であって、本実施の形態１においては上皿１４ａと下皿１４ｂとを有している。上皿１４ａの近傍に配置された球排出ボタン１４ｃを操作すると、上皿１４ａ内に貯留された球２３が下皿１４ｂへと排出されるようになっている。
【００６５】
次に、このパチンコ機２における遊技方法について簡単に説明する。なお、このパチンコ機２においては、遊技領域６ｂが主に遊技盤面６ａの左側及び下方部分に配置されており、第１始動口２９、第２始動口１６及び通過ゲート３３のいずれもが左側の遊技領域６ｂに配置されている。また、遊技開始時においては、下ベロ部材１８は退避状態にあり、第２始動口１６は閉鎖状態となっている。
【００６６】
＜図柄変動遊技＞
遊技者が、発射ハンドル１５を操作すると、球発射が行われ、球２３が発射レール（不図示）及びレール飾り２６の内側面２６ａに沿って発射されて遊技領域６ｂの上部へと至る。図柄変動遊技においては、遊技者は第１始動口２９への入賞を狙って左打ち（遊技領域６ｂの左側部分への球発射。）を行う。発射された球２３は内側面２６ａから落下を開始し、左側の遊技領域６ｂを流下する。遊技領域６ｂを流下した球２３は、例えば普通入賞口２８に入賞したり、第１始動口２９に入賞したりする。
【００６７】
第１始動口２９へと球２３が流入すると第１抽選手段による第１抽選（第１の遊技の抽選）が実行され、図柄表示装置７ａが表示図柄７ｃの回転表示を開始する。そして、第１抽選の結果が当たりとなり、所定の大当たり態様（例えば、「７・７・７」。）で表示図柄７ｃが停止表示されると、図柄変動大当たり発生となり、第１大入賞口が開放する。そして、多量の球２３が第１大入賞口へと流入し、多量の景品球が払い出される。
【００６８】
第１大入賞口の開閉動作が所定回数繰り返して行われ、その後に図柄変動大当たりが終了する。図柄変動大当たりの表示図柄７ｃの停止態様は、例えば「２・２・２」、「６・６・６」「７・７・７」等のように複数の態様を有している。そのうちの一部の態様（例えば、「７・７・７」。）での図柄変動大当たりが終了すると、その後に役物遊技が開始される。
【００６９】
＜役物遊技＞
役物遊技が開始されると、遊技者は通過ゲート３３への球２３の通過を狙い、図柄変動遊技の場合と同様に左打ちを行う。球２３が通過ゲート３３を通過すると、それに起因して第２抽選手段による第２抽選（第２の遊技の抽選）が行われる。その抽選結果が当たりの場合に、第２始動口１６における下ベロ部材１８が進退移動し、一定時間（例えば、１秒以下の短時間。）の第２始動口１６の開放状態が発生する。
【００７０】
その下ベロ部材１８の進出状態において、球２３が下ベロ部材１８の受け面１８ａに受け止められて第２始動口１６に入賞した場合には、役物大当たり発生となり、第２大入賞口８ａが所定時間開放する。後続して遊技領域６ｂを流下する球２３が第２大入賞口８ａに流入し、センター役物７内に配置されたＶ入賞口３５に入賞すれば、役物大当たり遊技継続となって第１大入賞口が開放する。そして、多量の球２３が第１大入賞口へと流入し、多量の景品球が払い出されつつ役物大当たり遊技を継続して楽しむことができる。
【００７１】
なお、第１始動口２９、第２始動口１６及び通過ゲート３３がいずれも遊技領域６ｂの左側部分に配置されるため、図柄変動遊技中に通過ゲート３３に球２３が通過してしまう場合がある。そして、第２抽選手段による抽選結果が当たりになると、第２始動口１６における下ベロ部材１８が進退移動することとなる。
【００７２】
しかしながら、下ベロ部材１８の退避移動の途中において受け面１８ａ上に受け止められた球２３が、その退避移動に伴って第２始動口１６へと入球してしまうことが阻止されている。また、掬い面１７ｄを経由して流下した球２３のみが進出状態における下ベロ部材１８へと至ることができ、側方等からの球２３が意図せず第２始動口１６へと入球してしまうことも阻止されている。このように、下ベロ部材１８においては不測の入球が防止されているので、第２始動口１６への入球確率を設計通りとすることができ、図柄変動遊技中における第２始動口１６への入球確率を、極めて低確率に設定することも可能となる。
【００７３】
［実施の形態２］
図６は、本発明の実施の形態２に係る第１大入賞具（遊技機用の入球具）４１の外観斜視図である。この第１大入賞具４１は、実施の形態１における第１大入賞具３１と代替的に用いることができる。
【００７４】
この第１大入賞具４１は、ベースプレート（プレート部材）４２、開閉扉（可動部材）４３、ソレノイド（不図示）を有して大略構成されている。そのベースプレート４２は、第２大入賞具４１を遊技盤６に取り付けるための取付けプレートであって、その前面４２ａが遊技盤面６ａから突出するように配置されている。そして、前面ガラス１０の後面１０ａと前面４２ａとの間の流下領域が、後面１０ａと遊技盤面６ａとの間に比べて狭められている。
【００７５】
ベースプレート４２の前面４２ａには、第１大入賞口４２ｂが開口形成されている。その第１大入賞口４２ｂの上方には、遊技盤面６ａに近い位置から前面４２ａにかけて下がり傾斜する掬い面（前方誘導部）４２ｃが形成されており、上方から流下してきた球２３がスムーズに掬われて、前方へと誘導され第１大入賞口４２ｂの近傍に至るようになっている。
【００７６】
開閉扉４３は、ソレノイドによって駆動されてこの第１大入賞口４２ｂの近傍において前後揺動開閉し、球２３の第１大入賞口４２ｂへの入球を許容／阻止している。開閉扉４３は、その下辺部分に回転軸４３ａを有しており、この回転軸４３ａを中心としてその上辺４３ｂが前後に揺動開閉する。後方への揺動状態において、開閉扉４３は第１大入賞口４２ｂを閉鎖して球２３の入球を阻止し、前方への揺動状態において、第１大入賞口４２ｂを開放して球２３の入球を許容する。
【００７７】
その開放状態において、上辺４３ｂと前面ガラス１０の後面１０ａとの距離は、球２３の直径寸法Ｄよりも充分小さく（例えば、２〜３ｍｍ程度。）とされている。したがって、開閉扉４３の開放移動に際して、又はその開放状態において、上辺４３ｂと後面１０ａとの間で球２３を挟み込んでしまうことが防止され、この第１大入賞具４１近傍における球詰まり等の発生が防止されている。
【００７８】
すなわち、ベースプレート４２を遊技盤面６ａより前方に突出されることにより、開閉扉４３の高さ寸法を低減して第１大入賞具４１の小型化を図りつつも、補助プレート等の別途の部材を不要としている。したがって、小型化、部品点数及びコストの低減、球詰まり等の不具合防止に貢献することのできる入賞具とされている。
【００７９】
以上、本発明の好ましい実施の形態を説明したが、本発明はこれらに限定されるものではなく、その要旨の範囲内で様々な変形や変更が可能である。例えば、上記実施の形態１及び実施の形態２においては、ベースプレート１７，４２の各前面１７ａ，４２ａが略平面状の場合について説明しているが、もちろん本発明の適用はベースプレートの前面が平面状である場合に限られない。例えば、ベースプレートの周縁に一段低くされた遊技盤面への取付け部が形成され、その取付け部で囲まれた部分が遊技盤から突出するようになっていてもよい。また、ベースプレートの前面が部分的に又は全体に曲面で構成されていて、遊技盤から突出するようになっていても構わない。
【図面の簡単な説明】
【００８０】
【図１】本発明の実施の形態１に係るパチンコ機の正面図である。
【図２】図１に示すパチンコ機が有する第２始動入賞具の外観斜視図である。
【図３】図２に示す第２始動入賞具と前面ガラスとの前後方向における寸法関係の一例を説明するための模式的な説明図である。
【図４】図２に示す下ベロ部材及び上ベロ部材の進退移動の様子を説明するための側方模式図であり、（ａ）は下ベロ部材の進出状態を示し、（ｂ）は下ベロ部材の退避状態を示している。
【図５】図２に示す第２始動入賞具の下ベロ部材が退避移動する途中において不測の入球が防止される様子を説明するための説明図である。
【図６】本発明の実施の形態２に係る第１大入賞具の外観斜視図である。
【符号の説明】
【００８１】
Ａ：突出量
Ｂ，Ｌ： 距離
Ｄ：直径寸法
Ｌ１，Ｌ２：開口高さ寸法
Ｍ：厚さ
Ｗ：幅方向寸法
Ｚ：矢印
２：パチンコ機（遊技機）
３：枠体
４：筐体枠（枠体の一部）
５：遊技盤ユニット
６：遊技盤
６ａ：遊技盤面（表面）
６ｂ：遊技領域
７：センター役物
７ａ：図柄表示装置
７ｂ：表示画面（映像表示面）
７ｃ：表示図柄
８：センター飾り
８ａ：第２大入賞口
８ｂ：球通路
９：機枠（枠体の一部）
１０：前面ガラス（前面透明板）
１０ａ：後面
１１：第２始動入賞具（遊技機用の入球具）
１２：装飾枠（前面枠）
１４：貯留皿
１４ａ：上皿
１４ｂ：下皿
１４ｃ：球排出ボタン
１５：発射ハンドル
１６：第２始動口（流入開口）
１７，４２：ベースプレート（プレート部材）
１７ａ，４２ａ：前面
１７ｂ：後面
１７ｃ：上面
１７ｄ，４２ｃ：掬い面（前方誘導部）
１７ｅ，１７ｆ：両側部
１７ｇ：側面
１８：下ベロ部材（進退部材、可動部材）
１８ａ：受け面
１９：上ベロ部材
２０：ソレノイド（駆動手段）
２０ａ：リンク機構
２０ｂ：プランジャ
２１：収容部
２２：ヒンジ部
２３：球（パチンコ球）
２６：レール飾り
２６ａ：内側面（内周面）
２７：ゲージ（障害釘）
２８：普通入賞口
２９：第１始動口
３０：アウト口
３１：第１大入賞具
３２：装飾部材
３３：通過ゲート（通過領域）
３４：風車
３５：Ｖ入賞口
４１：第１大入賞具（遊技機用の入球具）
４２ｂ：第１大入賞口
４３：開閉扉（可動部材）
４３ａ：回転軸
４３ｂ：上辺
【図１】
2009189577.tif 000003
【図２】
2009189577.tif 000004
【図３】
2009189577.tif 000005
【図４】
2009189577.tif 000006
【図５】
2009189577.tif 000007
【図６】
2009189577.tif 000008